(57)【要約】      （修正有）【課題】固定式ガンロッカー、携帯式ガンケース、実包用保管庫、金庫、手提げ金庫、貸し金庫、書類ケース、ＵＳＢ用ケース、ホテル個室の貴重品用ボックス等に利用して好適な感圧指紋認証モジュール搭載セキュリティーケースを提供する。【解決手段】進退自在のプランジャーをソレノイド又はモータードライブ等の駆動機構で駆動するロック機構と、指紋を読み取るセンサー部３と、指紋データを登録する登録部８２と、登録された指紋データの認証部８１とを有し、認証確認によってロック機構を解除する制御部８を備える。さらに、センサー部表面に貼着される可撓性シートが、複数の超極薄ＰＥＴフィルム等の積層体で形成され、該積層体中に導電性物質の蒸着膜を介在挟持して感圧指紋認証モジュール１００を搭載したセキュリティーケースとする。【選択図】図２
0003174845.tif 000002
【実用新案登録請求の範囲】
【請求項１】
指紋を読み取るセンサー部と、指紋データを登録する登録部と、登録された指紋データの認証部とを有し、認証確認によってロック機構を解除する制御部を備えたセキュリティーケースにおいて、
指紋を読み取るセンサー部が、複数個の圧電薄膜素子をマトリックス状に配置し、各圧電薄膜素子に加えられた圧力を電気信号に変換する指紋情報検出構造、又は指を押しつけたときの圧力の強弱から指紋の紋様を検出させる感知部と、指紋の紋様の凹凸による圧力の違いを電位差として取出す検出回路からなる構成であり、
ロック機構が、進退自在のプランジャーをソレノイド又はモータードライブ等の駆動機構で駆動する構成であることを特徴とする感圧指紋認証モジュール搭載セキュリティーケース。
【請求項２】
センサー部表面に貼着される可撓性シートが、複数の超極薄ＰＥＴフィルム等の積層体で形成され、該積層体中に導電性物質の蒸着膜が介在挟持されていることを特徴とする請求項１記載の感圧指紋認証モジュール搭載セキュリティーケース。
【請求項３】
センサー部表面に貼着される可撓性シートが、下層から順次に超極薄ＰＥＴフィルム、両面粘着テープ、超極薄ＰＥＴフィルム、導電性物質の蒸着膜、微粘着ＰＥＴ表面保護テープによって構成されており、導電性物質の蒸着膜が金等の蒸着膜であることを特徴とする請求項１記載の感圧指紋認証モジュール搭載セキュリティーケース。
【請求項４】
センサー部表面に貼着される可撓性シートの各層の好適膜厚が、超極薄ＰＥＴフィルム６μ、両面粘着テープ１０μ、超極薄ＰＥＴフィルム２μ、金の蒸着膜３００Å、微粘着ＰＥＴ表面保護テープ１０μ〜１２μの膜厚であることを特徴とする請求項１記載の感圧指紋認証モジュール搭載セキュリティーケース。
【考案の詳細な説明】
【技術分野】
【０００１】  本考案は、特に固定式ガンロッカー、携帯式ガンケース、実包用保管庫、金庫、手提げ金庫、貸し金庫、書類ケース、ＵＳＢ用ケース、ホテル個室の貴重品用ボックス等に利用して好適な感圧指紋認証モジュール搭載セキュリティーケースに関する。
【背景技術】
【０００２】  本考案者は、先の特許出願において、携帯通信端末の認証決済システムおよびその認証決済方法を提案したが、それは携帯通信端末で検出した指紋情報の認証をインターネット上に設けた指紋登記所にて行い、適正かつ確実な電子認証、電子決済を行えるものであって、端末等の不正使用を防止し、操作性の面でも優れた画期的な携帯通信端末の認証決済システムおよびその認証決済方法を提供するものであった。【０００３】  更に本考案者は、前記せる基本システムに加えて、更に指紋センサー部において、確実な押捺指紋パターンの面圧力を伝達できる可撓性シートの研究も進め、この技術を応用した感圧指紋認証モジュール搭載セキュリティーケースを創案した。【０００４】  これまでの生体認証に利用される生体情報で最も確実で究極的な認証手段はＤＮＡではあるが、指紋の認証は最も使用頻度が高く信頼性の高い認証方式であって、数多くの指紋センサー装置が提案されており、一例として下記の日本特許公報を挙げることができる。【０００５】  また、固定式ガンロッカーや手持ち式ガンケースとしては下記の米国特許公報を挙げることができる。
【先行技術文献】
【特許文献】
【０００６】
【特許文献１】  特開平５−６１９６６号公報
【特許文献２】  特許第４２６６３６３号公報
【特許文献３】  米国特許第５１１８１７５号公報
【特許文献４】  米国特許第５３４４０１０号公報
【考案の概要】
【考案が解決しようとする課題】
【０００７】  前記せる特開平５−６１９６６号公報は、マトリックス状に配置して、各圧電薄膜素子に加えられた圧力を電気出力信号に変換して指の指紋情報を検出する指紋センサーであって、前記せる特許第４２６６３６３兮公報は、指紋の紋様を検出させる指紋感知部と指紋の紋様を取出す検出回路にタッチパネル機能を付随した感圧式指紋センサーであるが、いずれも本考案が提案するような指紋センサー部に貼着して確実な押捺指紋パターンの面圧力を伝達できるための可撓性シートを貼着するものではなかった。【０００８】  また、市販の指紋センサーを使用しても乾燥指や濡れ指の場合の指紋パターンの正確度に問題があり、耐水性や外部光源の影響もあり、指接触部の耐摩耗性や変形にも問題があったので、これらの問題を解決する必要があった。【０００９】  指紋の凹凸を正確に検出するには可撓性シートをできる限り超極薄にし、しかも確実な可撓性でなければならならず、検出対象となる乾燥指、濡れ指、傷指、汚れ指、静電気帯電指の場合でも十分に対応でき、指紋パターンを正確に検出することができるものでなければならなかった。【００１０】  また、前記せる米国特許第５１１８１７５号公報は固定式のガンロッカーであるが、キーバッドの操作によってロック機構を解除してドアを開けるものであり、前記せる米国特許第５３４４０１０号公報は、コンビネーションボタンによってロックボルトをガイドに挿入する構造のガンケースであって、いずれも指紋認証を利用したものではなかったので指紋を登録したユーザーのみがロック解除をできるような安全性の高いものではなかった。
【課題を解決するための手段】
【００１１】  本考案は前記せるような課題に応えるために鋭意研究の結果、下記せるような解決手段を得ることができた。【００１２】  すなわち、指紋を読み取るセンサー部と、指紋データを登録する登録部と、登録された指紋データの認証部とを有し、認証確認によってロック機構を解除する制御部を備えたセキュリティーケースにおいて、指紋を読み取るセンサー部が、複数個の圧電薄膜素子をマトリックス状に配置し、各圧電薄膜素子に加えられた圧力を電気信号に変換する指紋情報検出構造、又は指を押しつけたときの圧力の強弱から指紋の紋様を検出させる感知部と、指紋の紋様の凹凸による圧力の違いを電位差として取出す検出回路からなる構成であり、ロック機構が、進退自在のプランジャーをソレノイドで駆動する構造であることを特徴とし、センサー部表面に貼着される可撓性シートが、複数の超極薄ＰＥＴフィルム等の積層体で形成され、該積層体中に導電性物質の蒸着膜が介在挟持されていることを特徴とし、センサー部表面に貼着される可撓性シートが、下層から順次に超極薄ＰＥＴフィルム、両面粘着テープ、超極薄ＰＥＴフィルム、導電性物質の蒸着膜、微粘着ＰＥＴ表面保護テープによって構成されており、導電性物質の蒸着膜が金等の蒸着膜であることを特徴とし、且つ、センサー部表面に貼着される可撓性シートの各層の好適膜厚が、超極薄ＰＥＴフィルム６μ、両面粘着テープ１０μ、超極薄ＰＥＴフィルム２μ、金の蒸着膜３００Å、微粘着ＰＥＴ表面保護テープ１０μ〜１２μの膜厚であることを特徴とする感圧指紋認証モジュール搭載セキュリティーケースを提供する。【００１３】  また、前記せる押捺指紋パターンの面圧力伝達用可撓性シートは優れた可撓性と復元性を有しており、積層体中に介在挟持されている金等の蒸着膜は、トランジスタまたはＴＦＴ（薄膜トランジスタ）の一部電極に作用し、圧力―電気変換する機能も備え、また、蒸着部はピンホールを皆無とし、湿気や水分の侵入を防ぐとともに、外部の光源を完全に遮断してセンサー部に対する光の影響を防止することもできる。【００１４】  そこで本考案者は、前記せる押捺指紋パターンの面圧力伝達用可撓性シートをセンサー部に貼着した感圧指紋認証モジュール搭載セキュリティーケースを創案するに至った。
【考案の効果】
【００１５】  以上説明したように、感圧指紋認証モジュール搭載セキュリティーケースの構成によれば、指紋センサー部において、乾燥指、濡れ指、傷指、汚れ指、油指、グリース指、静電気帯電指の場合でも対応でき、安全性と正確性の優れたセキュリティー効果を発揮することができた。
【図面の簡単な説明】
【００１６】
【図１】  セキュリティーケースの全体斜視図である。
【図２】  感圧指紋認証モジュールの概念図である。
【図３】  マスター登録手順フローチャートである。
【図４】  ユーザー登録手順フローチャートである。
【図５】  登録認証確認手順フローチャートである。
【図６】  可撓性シートを介して指でセンサー部を押圧した略示断面図である。
【図７】  可撓性シートの分解斜視図である。
【考案を実施するための形態】
【００１７】  図１乃至図２に示すように本考案の感圧指紋認証モジュール搭載セキュリティーケースは、指紋を読み取るセンサー部３と、指紋データを登録する登録部８２と、登録された指紋データの認証部８１とを有し、認証確認によってロック機構を解除する制御部８を備えている。
【００１８】  指紋を読み取るセンサー部３は、複数個の圧電薄膜素子をマトリックス状に配置し、各圧電薄膜素子に加えられた圧力を電気信号に変換する指紋情報検出構造（図示せず）または指６０を押しつけたときの圧力の強弱から指紋の紋様を検出させる感知部と、指紋の紋様の凹凸による圧力の違いを電位差として取出す検出回路（図示せず）から構成することができる。
【００１９】  ロック機構は、図１乃至図２に示すように、進退自在のプランジャー４をソレノイドやモータードライブ等の駆動機構７で駆動する構造である。
【００２０】  次いで、感圧指紋認証モジュールのセンサー部３に貼着する押捺指紋パターンの面圧力伝達用の可撓性シート２００について具体的に説明する。
【００２１】  指紋の凹凸を正確に検出するには可撓性シート２００をできる限り超極薄にしなければならず、しかも確実な可撓性を付与しなければならないので、本考案は多数の実験に基づいて以下の構成に達することができたものであり、その結果この積層体の構造によって最も正確に指紋面６１の押捺指紋パターンをセンサー部３に伝達することのできる知見を得たものである。
【００２２】  センサー部３の表面に貼着される可撓性シート２００は、複数の超極薄ＰＥＴフィルム等の積層体で形成され、該積層体中に導電性物質の蒸着膜２０４が介在挟持されている。
【００２３】  また、センサー部３の表面に貼着される可撓性シート２００は、図６乃至図７に示すように、下層から順次に超極薄ＰＥＴフィルム２０１、両面粘着テープ２０２、超極薄ＰＥＴフィルム２０３、導電性物質の蒸着膜２０４、微粘着ＰＥＴ表面保護テープ２０５によって構成されており、導電性物質の蒸着膜２０４が金等の蒸着膜で形成されている。
【００２４】  センサー部３表面に貼着される可撓性シート２００の各層の好適膜厚は、超極薄ＰＥＴフィルム２０１が６μ、両面粘着テープ２０２が１０μ、超極薄ＰＥＴフィルム２０３が２μ、金の蒸着膜２０４が３００Å、微粘着ＰＥＴ表面保護テープ２０５が１０μ〜１２μの膜厚であることが実験の結果で得られた。
【００２５】    図６は可撓性シートを介して指６０でセンサー部３を押圧した略示断面図であり、図７は可撓性シート２００の分解斜視図であって図６に示すように指６０を、可撓性シート２００を介してセンサー部３に押し付けると、可撓性シート２００は正確に指紋面６１の押捺指紋パターンをセンサー部３に伝達することができる。
【００２６】  前記の微粘着ＰＥＴ表面保護テープ２０５は、指紋残像が残らない表面処理が施されており、耐摩耗性にも優れた表面に形成されている。
【００２７】  なお、本考案の可撓性シート２００を載置するセンサー部３の構造は複数個の圧電薄膜素子をマトリックス状に配置し各圧電薄膜素子に加えられた圧力を電気出力信号に変換することにより指の指紋情報を検出する構造や、指を押しつけたときの圧力の強弱から指紋の紋様を検出させる指紋感知部と指紋の紋様の凹凸による圧力の違いを電位差として取出す検出回路からなるようなセンサー部の構造等に限らず、その他のセンサー部の構造であっても可撓性シート２００は多様なセンサー部に対して幅広く応用することができるものである。
【００２８】  セキュリティーケース１に搭載される感圧指紋認証モジュール１００をコントロールパネル２の操作手順について以下に説明する。
【００２９】  セキュリティーケース１内には感圧指紋認証モジュール１００を駆動するための電源としてバッテリー５が収納されており、バッテリー５の電源をＯＮにしてコントロールパネル２を操作しても指紋登録したユーザー以外はロック解除操作ができないようになっている。
【００３０】  図３に基づいて、マスター登録手順フローチャートについて説明する。
【００３１】  電源６をＯＮとし、起動ボタン２８を押圧し、順次走査ステップＳ１〜Ｓ５の手順でマスターの登録を行う。
【００３２】  起動ボタン９、アドレススイッチ２５、マスターキースイッチ２１、ＯＫスイッチ２６を押圧毎にビープ音を確認しながら順次押圧し、マスター指をセンサー部３に押圧し、マスターキースイッチＬＥＤ２５１の点灯を確認すればマスターの登録が完了する。
【００３３】  図４に基づいて、ユーザー登録手順フローチャートについて説明する。
【００３４】  次いで、電源６をＯＮとし、起動ボタン２８を押圧し、順次走査ステップＳ６〜Ｓ１０の手順でユーザー登録を行う。
【００３５】    起動ボタン２８、アドレススイッチ２５、ユーザー番号キースイッチ２２、ＯＫスイッチ２６を押圧毎にビープ音を確認しながら順次押圧し、ユーザー指をセンサー部３に押圧し、ユーザー番号キースイッチのＬＥＤの点灯を確認すればユーザー指の登録を完了させることができる。
【００３６】  実施例図面では、マスターキースイッチ２１の他にユーザー番号キースイッチ２２，２３，２４の３個が設けられており、合計４個の指紋の登録ができるようになっている。
【００３７】  図５に基づいて、登録認証確認手順フローチャートについて説明する。
【００３８】  電源６、起動ボタン２８、ユーザー指をセンサー部３に押圧し、ユーザー番号キースイッチのＬＥＤの点灯が確認されれば、ソレノイド又はモータードライブ等の駆動機構７によってプランジャー４が作動してロック解除され、セキュリティーケースの蓋を開放することができる。
【００３９】  このロック解除はユーザー登録したもののみが可能である。
【産業上の利用可能性】
【００４０】  生体認証には多くの生体情報を利用した認証装置が使用されつつあり、指紋認証も多く利用されているが、残留指紋をゼラチンに移し取って人工指を作り、人工指で認証を通過させるような事件もおきているので、より正確な押捺指紋パターンをセンサー部に伝達することが必要であり、本考案の感圧指紋認証モジュール搭載セキュリティーケースは安全で確実なセキュリティー効果があるもので、固定式ガンロッカー、携帯式ガンケース、実包用保管庫、金庫、手提げ金庫、貸し金庫、書類ケース、ＵＳＢ用ケース、ホテル個室の貴重品用ボックス等に利用することができ、更に本考案を構成する基本技術を利用すればセキュリティーケース等に限らず、感圧指紋認証モジュールを利用した自動車用ドアロックや建物用ドアロックにも応用可能であり、本考案は産業上の利用価値の極めて高い考案である。
【符号の説明】
【００４１】  １  セキュリティーケース
２  コントロールパネル
２１  マスターキースイッチ
２２  ユーザー番号キースイッチ
２３  ユーザー番号キースイッチ
２４  ユーザー番号キースイッチ
２５  アドレススイッチ
２６  ＯＫスイッチ
２７  削除スイッチ
２８  起動ボタン
３  センサー部
４  プランジャー
５  バッテリー
６  電源スイッチ
７  駆動機構
８  制御部
８１  認証部
８２  登録部
１００  感圧指紋認証モジュール
Ｓ１〜Ｓ１２  操作ステップ
Ｓ６〜Ｓ１０  操作ステップ
Ｓ１１〜Ｓ１２  操作ステップ
６０  指
６１  指紋面
２００  可撓性シート
２０１  超薄膜ＰＥＴフィルム
２０２  両面接着フィルム
２０３  超薄膜ＰＥＴフィルム
２０４  蒸着膜
２０５  微粘着ＰＥＴ表面保護テープ
２５１  マスターキースイッチＬＥＤ
【図１】
0003174845.tif 000003
【図２】
0003174845.tif 000004
【図３】
0003174845.tif 000005
【図４】
0003174845.tif 000006
【図５】
0003174845.tif 000007
【図６】
0003174845.tif 000008
【図７】
0003174845.tif 000009